(57)【要約】【課題】隣接する単位発光領域の間が誘電体層と隔壁によって閉じられている部分に電極間容量が形成されることによる無効電力の発生を抑制して、消費電力の低減を図る。【解決手段】前面ガラス基板１０側に行電極対（Ｘ１，Ｙ１）と列電極Ｄ１が設けられているプラズマディスプレイパネルにおいて、隔壁１７の横壁１７Ｂと対向する位置の第１嵩上げ誘電体層１４Ａの背面に、背面ガラス基板１５側に突出するとともに行方向に延びて横壁１７Ｂとの間で列方向に隣接する放電セルＣ１の間を閉じる第２嵩上げ誘電体層１４Ｂが形成され、この第２嵩上げ誘電体層１４Ｂの列方向の幅が、隔壁１７の横壁１７Ｂの列方向の幅よりも小さくなっている。【選択図】    図７
2004355840.tif 000002
【特許請求の範囲】
【請求項１】
前面基板と背面基板が放電空間を介して互いに対向され、この前面基板の背面側に、行方向に延び列方向に並設されてそれぞれ表示ラインを構成する複数の行電極対と、この行電極対と誘電体層を介して離間した位置を行電極対と交差する方向に延びる複数の列電極が設けられ、放電空間の行電極対の互いに対向する放電部に対向する位置に形成される単位発光領域が隔壁によって区画されているプラズマディスプレイパネルにおいて、
前記隔壁が少なくとも行方向に延びて列方向に隣接する単位発光領域の間を区画する横壁部を有し、
この隔壁の横壁部と対向する位置の前記誘電体層の背面に、背面基板側に突出するとともに行方向に延びて横壁部との間で列方向に隣接する単位発光領域の間を閉じる嵩上げ層が形成され、
この嵩上げ層の列方向の幅が、隔壁の横壁部の列方向の幅よりも小さくなっていることを特徴とするプラズマディスプレイパネル。
【請求項２】
前記隔壁が、列方向に延びて行方向に隣接する単位発光領域の間を区画する縦壁部を有している請求項１に記載のプラズマディスプレイパネル。
【請求項３】
前記隔壁の縦壁部と対向する位置の誘電体層の背面に、背面基板側に突出するとともに列方向に延びて縦壁部との間で行方向に隣接する単位発光領域の間を閉じる嵩上げ層がさらに形成されている請求項２に記載のプラズマディスプレイパネル。
【請求項４】
前記隔壁の縦壁部に対向する嵩上げ層の行方向の幅が、隔壁の縦壁部の行方向の幅よりも小さくなっている請求項３に記載のプラズマディスプレイパネル。
【請求項５】
前記隔壁が、絶縁層によって被覆された金属基材によって構成されている請求項１に記載のプラズマディスプレイパネル。
【請求項６】
前記行電極対を構成する各行電極が、行方向に延びる行電極本体部と、この行電極本体部から単位発光領域毎に対になっている他の行電極の側に向かって張り出して放電ギャップを介して互いに対向する放電部とを有し、前記隔壁の横壁部に対向する嵩上げ層が、列方向に隣接する行電極対の互いに背中合わせに位置する行電極本体部の間の部分に対向する位置に形成されている請求項１に記載のプラズマディスプレイパネル。
【請求項７】
前記誘電体層の背面の列方向に隣接する行電極対の互いに背中合わせに位置する行電極本体部およびその間の部分に対向する位置に、背面基板側に突出する嵩上げ誘電体層が形成され、この嵩上げ誘電体層の背面に前記嵩上げ層が形成されている請求項６に記載のプラズマディスプレイパネル。
【発明の詳細な説明】
【０００１】
【発明の属する技術分野】
この発明は、面放電方式交流型プラズマディスプレイパネルのパネル構造に関する。
【０００２】
【従来の技術】
図１ないし５は、従来の面放電方式交流型プラズマディスプレイパネル（以下、ＰＤＰという）のパネル構造を示しており、図１はパネルの構成を模式的に表す正面図、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【０００３】
この図１ないし５において、表示面である前面ガラス基板１の背面に、複数の行電極対（Ｘ，Ｙ）が、前面ガラス基板１の行方向（図１の左右方向）に延びるように平行に配列されている。
【０００４】
行電極Ｘは、前面ガラス基板１の行方向に延びる金属膜からなる帯状のバス電極Ｘａと、このバス電極Ｘａに沿って等間隔に並設されてその幅狭の基端部がバス電極Ｘａに接続されたＩＴＯ等の透明導電膜からなるＴ字形状の透明電極Ｘｂとによって構成されている。
【０００５】
行電極Ｙも同様に、前面ガラス基板１の行方向に延びる金属膜からなる帯状のバス電極Ｙａと、このバス電極Ｙａに沿って等間隔に並設されてその幅狭の基端部がバス電極Ｙａに接続されたＩＴＯ等の透明導電膜からなるＴ字形状の透明電極Ｙｂとによって構成されている。
【０００６】
この行電極ＸとＹは、前面ガラス基板１の列方向（図１の上下方向）に交互に配列されて、バス電極ＸａとＹａに沿って並設されたそれぞれの透明電極ＸｂとＹｂが、互いに対となる相手の行電極側に延びて、透明電極ＸｂとＹｂのそれぞれの幅広部の頂辺が、それぞれ所要の幅の放電ギャップｇを介して互いに対向されている。
【０００７】
前面ガラス基板１の背面側には、誘電体層２が形成されて行電極対（Ｘ，Ｙ）を被覆している。
【０００８】
この誘電体層２の背面側には、隣接する行電極対（Ｘ，Ｙ）の互いに背中合わせに位置するバス電極ＸａおよびＹａと対向する部分およびこの背中合わせに位置するバス電極ＸａとＹａの間の領域に対向する部分に、誘電体層２から背面側に突出する帯状の嵩上げ誘電体層２Ａが、バス電極Ｘａ，Ｙａと平行に延びる方向に形成されている。
【０００９】
そして、この誘電体層２と嵩上げ誘電体層２Ａの背面側には、ＭｇＯからなる保護層３が形成されている。
【００１０】
一方、前面ガラス基板１と放電空間Ｓを介して平行に配置される背面ガラス基板４の前面ガラス基板１と対向する面（表示側の面）上には、列電極Ｄが、各行電極対（Ｘ，Ｙ）の互いに対となった透明電極ＸｂおよびＹｂに対向する位置において列方向に延びるように、等間隔に並設されている。
【００１１】
背面ガラス基板４の表示側の面上には、さらに、列電極保護層（誘電体層）５が形成されて、列電極Ｄを被覆している。
【００１２】
この列電極保護層５上には、行方向に並設された各列電極Ｄの間の位置において列方向に延びる縦壁６Ａと、嵩上げ誘電体層２Ａに対向する位置において行方向に延びる横壁６Ｂとによって略格子状に成形された隔壁６が形成されている。
【００１３】
そして、この略格子形状の隔壁６によって、放電空間Ｓの各行電極対（Ｘ，Ｙ）において対になった透明電極ＸｂとＹｂに対向する部分毎に、放電セルＣが区画されている。
【００１４】
この隔壁６の縦壁６Ａの表示側の面は保護層３に当接されておらず（図３および４参照）、その間に隙間ｒが形成されているが、横壁６Ｂの表示側の面が保護層３の嵩上げ誘電体層２Ａを被覆している部分に当接されていて（図２および５参照）、列方向において隣接する放電セルＣとの間がそれぞれ閉じられている。
【００１５】
各放電セルＣに面する隔壁６の縦壁６Ａと横壁６Ｂの側面と列電極保護層５の表面には、これらの五つの面を全て覆うように、蛍光体層７が、行方向に順に放電セルＣ毎に赤（Ｒ），緑（Ｇ），青（Ｂ）に色分けされて形成されている。
【００１６】
そして、放電空間Ｓ内には、Ｘｅガスを含む放電ガスが封入されている（例えば、特許文献１参照）。
【００１７】
【特許文献１】
特開２０００−１９５４３１号公報
【００１８】
【発明が解決しようとする課題】
上記のような構成のＰＤＰにおいては、放電セルＣ内において、行電極対（Ｘ，Ｙ）の透明電極ＸｂとＹｂの間でのリセット放電や維持放電、および、行電極Ｙの透明電極Ｙｂと列電極Ｄとの間でのアドレス放電が発生される。
【００１９】
しかしながら、上記のように、誘電体層２の背面側の互いに背中合わせに位置するバス電極Ｘａ，Ｙａおよびこのバス電極ＸａとＹａの間の領域に対向する部分に嵩上げ誘電体層２Ａが形成され、この嵩上げ誘電体層２Ａを被覆する保護層３が横壁６Ｂの表示側の面に当接されて、列方向において隣接する放電セルＣの間がそれぞれ閉じられた構造のＰＤＰにおいては、行電極Ｘ，Ｙのバス電極Ｘａ，Ｙａと背面ガラス基板４との間の部分が誘電体層や隔壁によって隙間無く埋め尽くされてしまうために、その部分に電極間容量が形成されて大きな無効電力が発生することにより、消費電力が増大してしまうという問題が発生する。
【００２０】
特に、近年になって開発されてきた前面ガラス基板に行電極対と列電極の双方を形成する構成の面放電型ＰＤＰにおいては、行電極のバス電極と背面ガラス基板との間に、行電極と列電極をそれぞれ被覆する誘電体層が積層されるために、電極間容量がさらに大きくなり、無効電力の発生によって消費電力がさらに増大するという問題が発生する。
【００２１】
この発明は、上記のような隔壁を備えた面放電方式交流型ＰＤＰにおいて発生する問題点を解決することをその解決課題の一つとしている。
【００２２】
【課題を解決するための手段】
上記目的を達成するために、第１の発明（請求項１に記載の発明）によるプラズマディスプレイパネルは、前面基板と背面基板が放電空間を介して互いに対向され、この前面基板の背面側に、行方向に延び列方向に並設されてそれぞれ表示ラインを構成する複数の行電極対と、この行電極対と誘電体層を介して離間した位置を行電極対と交差する方向に延びる複数の列電極が設けられ、放電空間の行電極対の互いに対向する放電部に対向する位置に形成される単位発光領域が隔壁によって区画されているプラズマディスプレイパネルにおいて、前記隔壁が少なくとも行方向に延びて列方向に隣接する単位発光領域の間を区画する横壁部を有し、この隔壁の横壁部と対向する位置の前記誘電体層の背面に、背面基板側に突出するとともに行方向に延びて横壁部との間で列方向に隣接する単位発光領域の間を閉じる嵩上げ層が形成され、この嵩上げ層の列方向の幅が、隔壁の横壁部の列方向の幅よりも小さくなっていることを特徴としている。
【００２３】
【発明の実施の形態】
以下、この発明の最も好適と思われる実施形態について、図面を参照しながら詳細に説明を行う。
【００２４】
図６ないし１０は、この発明によるプラズマディスプレイパネル（以下、ＰＤＰという）の実施形態における第１の例を示すものであって、図６はこの例におけるＰＤＰを模式的に示す正面図であり、図７は図６のＶ３−Ｖ３線における断面図，図８は図６のＶ４−Ｖ４線における断面図，図９は図６のＷ３−Ｗ３線における断面図、図１０は図６のＷ４−Ｗ４線における断面図である。
【００２５】
この図６ないし１０において、表示面である前面ガラス基板１０の背面に、複数の行電極対（Ｘ１，Ｙ１）が、前面ガラス基板１０の行方向（図６の左右方向）に延びるように平行に配列されている。
【００２６】
行電極Ｘ１は、前面ガラス基板１０の行方向に延びる黒色または暗色の金属膜からなるバス電極Ｘ１ａと、Ｔ字形状に形成されたＩＴＯ等の透明導電膜からなる透明電極Ｘ１ｂとを備え、この透明電極Ｘ１ｂがバス電極Ｘ１ａに沿って等間隔に配列されて、それぞれの幅狭の基端部がバス電極Ｘ１ａに接続された構成になっている。
【００２７】
行電極Ｙ１も、同様に、前面ガラス基板１０の行方向に延びる黒色または暗色の金属膜からなるバス電極Ｙ１ａと、Ｔ字形状に形成されたＩＴＯ等の透明導電膜からなる透明電極Ｙ１ｂとを備え、この透明電極Ｙ１ｂがバス電極Ｙ１ａに沿って等間隔に配列されて、それぞれの幅狭の基端部がバス電極Ｙ１ａに接続された構成になっている。
【００２８】
この行電極Ｘ１とＹ１は、前面ガラス基板１０の列方向（図６の上下方向）に交互に配列されており、バス電極Ｘ１ａとＹ１ａに沿って等間隔に配置されたそれぞれの透明電極Ｘ１ｂとＹ１ｂが、互いに対となる相手の行電極側に延びて、透明電極Ｘ１ｂとＹ１ｂのそれぞれの幅広の頂辺が、所要の間隔の放電ギャップｇ１を介して互いに対向されている。
【００２９】
この各行電極対（Ｘ１，Ｙ１）によって、パネルの一表示ラインＬ１が構成されている。
【００３０】
前面ガラス基板１０の背面側には、さらに、列方向において隣接する行電極対（Ｘ１，Ｙ１）のそれぞれの互いに背中合わせになったバス電極Ｘ１ａとＹ１ａの間に、このバス電極Ｘ１ａ，Ｙ１ａに沿って行方向に帯状に延びる黒色または暗色の光吸収層（遮光層）１１が形成されている。
【００３１】
そして、この行電極対（Ｘ１，Ｙ１）および光吸収層１１は、前面ガラス基板１０の背面側に形成された第１誘電体層１２によって被覆されている。
【００３２】
この第１誘電体層１２の背面側には、列方向に延び行方向に等間隔に並設された複数の列電極Ｄ１が形成されている。
【００３３】
この各列電極Ｄ１は、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置に位置されてバス電極Ｘ１ａ，Ｙ１ａと直交する方向（列方向）に延びる帯状の列電極本体部Ｄ１ａと、この列電極本体部Ｄ１ａの側部から各表示ラインＬ１ごとに行方向に延びるように一体的に形成されて、先端部が、互いに対向して対になっている透明電極Ｘ１ｂとＹ１ｂの間の放電ギャップｇ１の中間位置に対向する位置に位置される帯状の列電極放電部Ｄ１ｂとから構成されている。
【００３４】
そして、この列電極Ｄ１の列電極本体部Ｄ１ａと列電極放電部Ｄ１ｂは、第１誘電体層１２の背面に形成された第２誘電体層１３によって被覆されている。
【００３５】
この第２誘電体層１３の背面側には、互いに隣接する行電極対（Ｘ１，Ｙ１）の背中合わせに位置するバス電極Ｘ１ａとＹ１ａおよびその間の光吸収層１１が位置する領域（非表示領域）に対向する位置に、この非表示領域の列方向の幅とほぼ同じ大きさの幅を有する第１嵩上げ誘電体層１４Ａが、第２誘電体層１３の背面から突出するとともにバス電極Ｘ１ａ，Ｙ１ａに沿って行方向に帯状に延びるように形成されている。
【００３６】
この第１嵩上げ誘電体層１４Ａの背面側には、光吸収層１１に対向する位置に、背中合わせのバス電極Ｘ１ａとＹ１ａの間の間隔とほぼ同じ大きさの幅を有する第２嵩上げ誘電体層１４Ｂが、第１嵩上げ誘電体層１４Ａの背面から突出するとともに光吸収層１１に沿って行方向に帯状に延びるように形成されている。
【００３７】
そして、この第２誘電体層１３と第１嵩上げ誘電体層１４Ａ，第２嵩上げ誘電体層１４Ｂの背面側には、ＭｇＯからなる図示しない保護層が形成されている。
【００３８】
この前面ガラス基板１０には、その背面側に、背面ガラス基板１５が放電空間を介して平行に対向されている。
【００３９】
この背面ガラス基板１５の前面ガラス基板１０と対向する表示側の面上には、第３誘電体層１６が形成されている。
【００４０】
そして、この第３誘電体層１６上に、以下のような形状を有する隔壁１７が形成されている。
【００４１】
すなわち、この隔壁１７は、金属製の基材１７ａの全表面が絶縁層１７ｂによって被覆されることによって構成されており、前面ガラス基板１０側の列電極本体部Ｄ１ａと対向する位置においてそれぞれ列方向に延びるように形成された帯状の縦壁１７Ａと、互いに隣接する行電極対（Ｘ１，Ｙ１）の背中合わせに位置するバス電極Ｘ１ａ，Ｙ１ａと光吸収層１１に対向する位置において行方向に延びるとともに、背中合わせのバス電極Ｘ１ａ，Ｙ１ａおよび第１誘電体層１１が位置する領域（非表示領域）の列方向の幅とほぼ同じ大きさの幅を有する帯状の横壁１７Ｂとによって、略格子状に成形されている。
【００４２】
そして、この隔壁１７によって、前面ガラス基板１０と背面ガラス基板１５の間の放電空間が、各行電極対（Ｘ１，Ｙ１）において対になっている透明電極Ｘ１ｂとＹ１ｂおよび列電極放電部Ｄ１ｂに対向する部分毎に区画されて、それぞれ方形の放電セルＣ１が形成されている。
【００４３】
この隔壁１７の縦壁１７Ａの表示側の面は第１嵩上げ誘電体層１４Ａおよび第２嵩上げ誘電体層１４Ｂを被覆する保護層に当接されておらず（図８および９参照）、その間に隙間ｒ１が形成されているが、横壁１７Ｂの表示側の面が、保護層の第２嵩上げ誘電体層１４Ｂを被覆している部分に当接されていて、列方向に隣接する放電セルＣ１の間がそれぞれ閉じられている（図７および１０参照）。
【００４４】
そして、この列方向に隣接している放電セルＣ１の間が閉じられている部分において、第２嵩上げ誘電体層１４Ｂの列方向の幅が、背中合わせのバス電極Ｘ１ａとＹ１ａの間の間隔とほぼ同じ大きさに形成されて、パネルの非表示領域（背中合わせのバス電極Ｘ１ａ，Ｙ１ａおよび光吸収層１１が位置している領域）の列方向の幅とほぼ同じ大きさの横壁１７Ｂの幅よりも小さくなっていることによって、第１嵩上げ誘電体層１４Ａと横壁１７Ｂの表示側の面との間の第２嵩上げ誘電体層１４Ｂの列方向の両側に位置する部分に、それぞれ空間ｓが形成されている。
【００４５】
放電セルＣ１に面する隔壁１７の縦壁１７Ａおよび横壁１７Ｂの側面と背面ガラス基板１５の表面には、これらの五つの面を全て覆うように、各放電セルＣ１毎に赤（Ｒ），緑（Ｇ），青（Ｂ）の三原色に色分けされた蛍光体層１８が形成されて、この三原色が行方向に順に並ぶように配列されている。
【００４６】
そして、前面ガラス基板１と背面ガラス基板１５の間の放電空間内には、キセノンＸｅを含む放電ガスが封入されている。
【００４７】
このＰＤＰにおける画像形成は、以下のようにして行われる。
すなわち、一斉リセット期間において、行電極Ｘ１とＹ１間、または、一方の行電極と列電極Ｄ１の列電極放電部Ｄ１ｂ間でリセット放電が行われた後、次のアドレス期間において、行電極Ｙ１に走査パルスが印加されるとともに、列電極Ｄ１に映像信号の表示データに対応した表示データパルスが印加されて、選択的に、列電極Ｄ１の列電極放電部Ｄ１ｂと走査パルスが印加された行電極Ｙ１の透明電極Ｙ１ａとの間でアドレス放電が発生され、このアドレス放電が発生された放電セルＣ１に面する第１誘電体層１２および第２誘電体層１３に壁電荷が形成される。
【００４８】
これによって、発光セル（第１誘電体層１２および第２誘電体層１３に壁電荷が形成された放電セルＣ１）と、非発光セル（壁電荷が形成されていない放電セルＣ１）とが、表示する画像に対応してパネル面に分布される。
【００４９】
この後、次の維持発光期間において、行電極Ｘ１とＹ１に放電維持パルスが印加され、第１誘電体層１２および第２誘電体層１３に壁電荷が形成されている発光セル内において、行電極Ｘ１とＹ１の放電ギャップｇ１を介して互いに対向する透明電極Ｘ１ｂとＹ１ｂの間で維持放電が発生される。
【００５０】
これによって、放電空間内に封入されている放電ガス中のキセノンガスから真空紫外線が放射され、この真空紫外線によってそれぞれ赤（Ｒ），緑（Ｇ），青（Ｂ）に色分けされている蛍光体層１８が励起されて発光することにより、マトリクス表示による画像が形成される。
【００５１】
上記ＰＤＰの構成によれば、第２嵩上げ誘電体層１４Ｂを被覆している保護層が隔壁１７の横壁１７Ｂに当接して列方向において隣接している放電セルＣ１の間が閉じられていることにより、放電セルＣ１内において発生した放電が列方向において隣接する他の放電セルＣ１に広がって誤放電が発生するのが防止される。
【００５２】
そして、このＰＤＰは、列方向に隣接している放電セルＣ１の間を閉じている部分の第１嵩上げ誘電体層１４Ａと横壁１７Ｂとの間の第２嵩上げ誘電体層１４Ｂの両側位置に、空間ｓが形成されて、この空間ｓが放電ガスによって充満されていることにより、この部分の比誘電率が１近傍の値になる。
【００５３】
これによって、行電極Ｘ１，Ｙ１のバス電極Ｘ１ａ，Ｙ１ａと背面ガラス基板１５との間に形成される電極間容量が、従来の構成のＰＤＰと比べて減少するので、無効電力の発生が抑制されて、消費電力の大幅な低減を図ることが出来るようになる。
【００５４】
特に、上記のＰＤＰのように、前面ガラス基板１０側に行電極対（Ｘ１，Ｙ１）と列電極Ｄ１の双方が形成されていることによって、列方向に隣接している放電セルＣ１の間が横壁１７Ｂによって閉じられている部分に第１誘電体層１２と第２誘電体層１３とが積層されている構成のＰＤＰにおいては、この部分に形成されるバス電極Ｘ１ａとＹ１ａの間、および、バス電極Ｘ１ａ，Ｙ１ａと列電極本体部Ｄ１ａ間，列電極本体部Ｄ１ａ間の電極間容量の減少効果が大きくなり、消費電力の大幅な低減を図ることが出来るようになる。
【００５５】
さらに、隔壁１７の基材が金属基材によって構成されている場合に、ＰＤＰの構成が従来のままの場合には、金属製の横壁によって閉じられている列方向に隣接している放電セルの間の部分に大きな電極間容量が形成されることになるが、上記のＰＤＰのように、第１嵩上げ誘電体層１４Ａと横壁１７Ｂとの間の第２嵩上げ誘電体層１４Ｂの両側位置に放電ガスによって充満された空間ｓが形成されていることによって、隔壁１７を金属隔壁にしたことによる電極間容量の増加が大幅に抑制され、無効電力の発生の抑制による消費電力の大幅な低減を図ることが出来るようになる。
【００５６】
図１１は、この発明によるＰＤＰの実施形態における第２の例の第１嵩上げ誘電体層と第２嵩上げ誘電体層の形状を、前面ガラス基板の背面側から見た状態で示す背面図である。
【００５７】
この図１１において、第１嵩上げ誘電体層２４Ａは、列方向に延びる縦帯部２４Ａａと行方向に延びる横帯部２４Ａｂとによって、略格子形状に成形された図示しない隔壁（第１の例の隔壁１７参照）と同じ略格子形状に成形されている。
【００５８】
そして、この第１嵩上げ誘電体層２４Ａの横帯部２４Ａｂの背面側の中央部分に、列方向の幅ｂ１が第１嵩上げ誘電体層２４Ａの横帯部２４Ａｂの列方向の幅ａ１よりも小さい第２嵩上げ誘電体層２４Ｂが、第１嵩上げ誘電体層２４Ａの横帯部２４Ａｂと平行に行方向に延びるように形成されている。
【００５９】
そして、この第２嵩上げ誘電体層２４Ｂが、第１の例の場合と同様に、隔壁の横壁に当接されて、列方向に隣接している放電セルの間が閉じられるとともに、第１嵩上げ誘電体層２４Ａの横帯部２４Ａｂと隔壁の横壁との間の第２嵩上げ誘電体層２４Ｂの両側位置に、空間ｓ１が形成されて、この部分に形成される電極間容量が減少される。
【００６０】
図１２は、この発明によるＰＤＰの実施形態における第３の例の第１嵩上げ誘電体層と第２嵩上げ誘電体層の形状を、前面ガラス基板の背面側から見た状態で示す背面図である。
【００６１】
この図１２において、第１嵩上げ誘電体層３４Ａは、列方向に延びる縦帯部３４Ａａと行方向に延びる横帯部３４Ａｂとによって、略格子形状に成形された図示しない隔壁（第１の例の隔壁１７参照）と同じ略格子形状に成形されている。
【００６２】
第１嵩上げ誘電体層３４Ａの背面側に形成された第２嵩上げ誘電体層３４Ｂは、第１嵩上げ誘電体層３４Ａの縦帯部３４Ａａの中央部分において列方向に延び、行方向の幅ｂ２が第１嵩上げ誘電体層３４Ａの縦帯部３４Ａａの行方向の幅ａ２よりも小さい縦壁部３４Ｂａと、第１嵩上げ誘電体層３４Ａの横帯部３４Ａｂの中央部分において行方向に延び、列方向の幅ｂ３が第１嵩上げ誘電体層３４Ａの横帯部３４Ａｂの列方向の幅ａ３よりも小さい横壁部３４Ｂｂによって、略格子形状に成形されている。
【００６３】
この略格子形状の第２嵩上げ誘電体層３４Ｂの縦壁部３４Ｂａが隔壁の縦壁に当接されて、行方向に隣接している放電セルの間が閉じられ、さらに、第１の例の場合と同様に、横壁部３４Ｂｂが隔壁の横壁に当接されて、列方向に隣接している放電セルの間が閉じられている。
【００６４】
そして、第１嵩上げ誘電体層３４Ａの縦帯部３４Ａａと隔壁の縦壁との間の第２嵩上げ誘電体層３４Ｂの縦壁部３４Ｂａの両側位置に空間ｓ２が形成されて、前面ガラス基板の隔壁の縦壁と対向する位置に形成された列電極本体部（第１の例の列電極本体部Ｄ１ａ参照）と背面ガラス基板との間に形成される電極間容量が減少され、さらに、第１嵩上げ誘電体層３４Ａの横帯部３４Ａｂと隔壁の横壁との間の第２嵩上げ誘電体層３４Ｂの横壁部３４Ｂｂの両側位置に空間ｓ３が形成されて、前面ガラス基板に形成された行電極のバス電極と背面ガラス基板との間に形成される電極間容量が減少される。
【００６５】
上記各例におけるＰＤＰは、前面基板と背面基板が放電空間を介して互いに対向され、この前面基板の背面側に、行方向に延び列方向に並設されてそれぞれ表示ラインを構成する複数の行電極対と、この行電極対と誘電体層を介して離間した位置を行電極対と交差する方向に延びる複数の列電極が設けられ、放電空間の行電極対の互いに対向する放電部に対向する位置に形成される単位発光領域が隔壁によって区画されているプラズマディスプレイパネルにおいて、前記隔壁が少なくとも行方向に延びて列方向に隣接する単位発光領域の間を区画する横壁部を有し、この隔壁の横壁部と対向する位置の前記誘電体層の背面に、背面基板側に突出するとともに行方向に延びて横壁部との間で列方向に隣接する単位発光領域の間を閉じる嵩上げ層が形成され、この嵩上げ層の列方向の幅が、隔壁の横壁部の列方向の幅よりも小さくなっている実施形態のＰＤＰを、その上位概念の実施形態としている。
【００６６】
この上位概念を構成する実施形態のＰＤＰは、嵩上げ層と隔壁の横壁部とによって列方向に隣接している単位発光領域の間が閉じられていることにより、各単位発光領域内において発生する放電が列方向において隣接する他の単位発光領域に広がって誤放電が発生するのを防止することが出来る。
【００６７】
そして、嵩上げ層の列方向の幅を隔壁の横壁部の列方向の幅よりも小さくなるように形成したことによって、この嵩上げ層が形成されている誘電体層の背面と隔壁の横壁部との間に空間が形成され、これによって、行電極対の行電極と列電極とにより、列方向に隣接している単位発光領域間が閉じられている部分に形成される行電極間、および、行電極と列電極間，列電極間の電極間容量が、隔壁の横壁部の列方向の全幅で単位発光領域間が閉じられているＰＤＰと比較して減少されて、無効電力の発生が抑制されることによる消費電力の大幅な低減を図ることが出来るようになる。
【００６８】
そして、特に、前面基板側に行電極対と列電極の双方を形成するために、列方向に隣接している単位発光領域の間が隔壁の横壁部によって閉じられている部分に誘電体層が積層される構成のＰＤＰにおいては、この部分に形成される電極間容量の減少効果が大きく、消費電力の大幅な低減を図ることが出来るようになる。
【図面の簡単な説明】
【図１】従来のＰＤＰの構成を示す正面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】この発明の実施形態における第１の例を模式的に示す正面図である。
【図７】図６のＶ３−Ｖ３線における断面図である。
【図８】図６のＶ４−Ｖ４線における断面図である。
【図９】図６のＷ３−Ｗ３線における断面図である。
【図１０】図６のＷ４−Ｗ４線における断面図である。
【図１１】この発明の実施形態における第２の例における第１嵩上げ誘電体層および第２嵩上げ誘電体層の形状を模式的に示す背面図である。
【図１２】この発明の実施形態における第３の例における第１嵩上げ誘電体層および第２嵩上げ誘電体層の形状を模式的に示す背面図である。
【符号の説明】
１０                          …前面ガラス基板（前面基板）
１２                    …第１誘電体層（誘電体層）
１３                    …第２誘電体層（誘電体層）
１４Ａ，２４Ａ，３４Ａ  …第１嵩上げ誘電体層（嵩上げ誘電体層）
２４Ａａ，３４Ａａ      …縦帯部
２４Ａｂ，３４Ａｂ      …横帯部
１４Ｂ，２４Ｂ，３４Ｂ  …第２嵩上げ誘電体層（嵩上げ層）
２４Ｂａ，３４Ｂａ      …縦壁部
２４Ｂｂ，３４Ｂｂ      …横壁部
１５                        …背面ガラス基板（背面基板）
１７                    …隔壁
１７Ａ                  …縦壁（縦壁部）
１７Ｂ                  …横壁（横壁部）
１７ａ                  …金属基材
１７ｂ                  …絶縁層
１８                    …蛍光体層
Ｘ１，Ｙ１              …行電極
Ｘ１ａ，Ｙ１ａ          …バス電極
Ｘ１ｂ，Ｙ１ｂ          …透明電極（放電部）
Ｄ１                      …列電極
Ｄ１ａ                    …列電極本体部
Ｄ１ｂ                    …列電極放電部
Ｃ１                              …放電セル
Ｌ１                    …表示ライン
ｓ，ｓ１，ｓ２          …空間
ｇ１                    …放電ギャップ
【図１】
2004355840.tif 000003
【図２】
2004355840.tif 000004
【図３】
2004355840.tif 000005
【図４】
2004355840.tif 000006
【図５】
2004355840.tif 000007
【図６】
2004355840.tif 000008
【図７】
2004355840.tif 000009
【図８】
2004355840.tif 000010
【図９】
2004355840.tif 000011
【図１０】
2004355840.tif 000012
【図１１】
2004355840.tif 000013
【図１２】
2004355840.tif 000014